(57)【特許請求の範囲】
【請求項１】
移動局であって、
前記移動局のエネルギー状況を指示する、前記移動局と関連付けられているエネルギー節約情報を生成するように構成されているプロセッサと、
前記エネルギー節約情報を少なくとも1つの第1のネットワークノードに送信するように構成されている送信機と、
前記エネルギー節約情報に基づき前記少なくとも1つの第1のネットワークノードからエネルギー節約のための命令を受信するように構成されている受信機とを備え、
前記エネルギー節約情報は、前記移動局の少なくとも1つの動作と関連付けられているエネルギー節約構成をさらに含み、前記エネルギー節約構成は、前記移動局の前記エネルギー状況に基づくエネルギー節約のための好ましい構成を前記少なくとも1つの第1のネットワークノードに提案し、
前記エネルギー節約構成は、前記第1のネットワークノードとは異なる、間欠送信モードで動作している少なくとも1つの他のネットワークノードの監視と関連付けられているパラメータのエネルギー節約構成を含む、移動局。
【請求項２】
前記移動局の前記エネルギー状況は、電池レベルの指示を含む請求項1に記載の移動局。
【請求項３】
前記エネルギー節約構成は、
間欠受信モード、間欠送信モード、無線リソース制御アイドルモード、および/またはスリーピングモードに対する、前記移動局のエネルギー節約モードの構成、
前記移動局に対する無線リソース管理測定および/または無線リンク監視測定の構成、
セル探索、セル検出、ランダムアクセス、ネットワークノードの監視、他の移動局を監視および/または発見すること、および/またはデバイス間の動作の構成に対するエネルギー節約構成のうちの少なくとも1つを更に含む請求項1または2に記載の移動局。
【請求項４】
前記受信機は、前記移動局のエネルギー節約情報に対する要求を少なくとも1つの第1のネットワークノードから受信するようにさらに構成される請求項1から3のいずれか一項に記載の移動局。
【請求項５】
前記エネルギー節約情報は、前記第1のネットワークノードとは異なる、間欠送信モードで動作している少なくとも1つの他のネットワークノードの監視と関連付けられる請求項1から4のいずれか一項に記載の移動局。
【請求項６】
前記エネルギー節約情報は、前記移動局の少なくとも1つの動作に対するエネルギー節約構成に対する要求またはトリガー、および/または前記移動局がエネルギー節約モードに入っていることを示す通知を指示する請求項1から5のいずれか一項に記載の移動局。
【請求項７】
エネルギー節約構成のための前記受信された命令は、
前記第1のネットワークノードとは異なる、間欠送信モードで動作している少なくとも1つの他のネットワークノードの監視と関連付けられているパラメータのエネルギー節約構成と、
間欠受信モード、間欠送信モード、無線リソース制御アイドルモード、および/またはスリーピングモードに対する、前記移動局のエネルギー節約モードの構成、
前記移動局に対する無線リソース管理測定および/または無線リンク監視測定の構成、および
セル探索、セル検出、ランダムアクセス、ネットワークノードの監視、他の移動局を監視および/または発見すること、および/またはデバイス間の動作の構成に対するエネルギー節約構成のうちの少なくとも1つとを含む請求項1から6のいずれか一項に記載の移動局。
【請求項８】
移動局においてエネルギーを節約するための方法であって、
前記移動局のエネルギー状況を指示する、前記移動局と関連付けられているエネルギー節約情報を生成するステップと、
前記エネルギー節約情報を少なくとも1つの第1のネットワークノードに送信するステップと、
前記エネルギー節約情報に基づき、前記少なくとも1つの第1のネットワークノードからエネルギー節約のための命令を受信するステップとを含み、
前記エネルギー節約情報は、前記移動局の少なくとも1つの動作と関連付けられているエネルギー節約構成をさらに含み、前記エネルギー節約構成は、前記移動局の前記エネルギー状況に基づくエネルギー節約のための好ましい構成を前記少なくとも1つの第1のネットワークノードに提案し、
前記エネルギー節約構成は、前記第1のネットワークノードとは異なる、間欠送信モードで動作している少なくとも1つの他のネットワークノードの監視と関連付けられているパラメータのエネルギー節約構成を含む、方法。
【請求項９】
前記移動局のエネルギー節約情報に対する要求を少なくとも1つのネットワークノードから受信するステップをさらに含む請求項8に記載の方法。
【請求項１０】
第1のネットワークノードであって、
移動局のエネルギー状況を指示するエネルギー節約情報を前記移動局から受信するように構成されている受信機と、
前記受信されたエネルギー節約情報に基づき、前記移動局におけるエネルギー節約のた
めの命令を生成するように構成されているプロセッサと、
エネルギー節約のための前記命令を前記移動局に送信するように構成されている送信機とを備え、
前記エネルギー節約情報は、前記移動局の少なくとも1つの動作と関連付けられているエネルギー節約構成をさらに含み、前記エネルギー節約構成は、前記移動局の前記エネルギー状況に基づくエネルギー節約のための好ましい構成を前記第1のネットワークノードに提案し、
前記エネルギー節約構成は、前記第1のネットワークノードとは異なる、間欠送信モードで動作している少なくとも1つの他のネットワークノードの監視と関連付けられているパラメータのエネルギー節約構成を含む、第1のネットワークノード。
【請求項１１】
前記送信機は、前記移動局のエネルギー節約情報に対する要求を前記移動局に送信するようにさらに構成される請求項10に記載の第1のネットワークノード。
【請求項１２】
移動局においてエネルギー節約を可能にするための第1のネットワークノードにおける方法であって、
前記移動局から、前記移動局のエネルギー状況を指示する、エネルギー節約情報を受信するステップと、
前記受信されたエネルギー節約情報に基づき、前記移動局におけるエネルギー節約のための命令を生成するステップと、
エネルギー節約のための前記生成された命令を前記移動局に送信するステップとを含み、
前記エネルギー節約情報は、前記移動局の少なくとも1つの動作と関連付けられているエネルギー節約構成をさらに含み、前記エネルギー節約構成は、前記移動局の前記エネルギー状況に基づくエネルギー節約のための好ましい構成を前記第1のネットワークノードに提案し、
前記エネルギー節約構成は、前記第1のネットワークノードとは異なる、間欠送信モードで動作している少なくとも1つの他のネットワークノードの監視と関連付けられているパラメータのエネルギー節約構成を含む、方法。
【請求項１３】
前記移動局のエネルギー節約情報に対する要求を前記移動局に送信するステップをさらに含む請求項12に記載の方法。
【請求項１４】
コンピュータに請求項8または9に記載の方法を実行させるプログラムが記録されたコンピュータ読み取り可能な記録媒体。
【請求項１５】
コンピュータに請求項12または13に記載の方法を実行させるプログラムが記録されたコンピュータ読み取り可能な記録媒体。
【発明の詳細な説明】
【技術分野】
【０００１】
本明細書で説明されている実装は、一般的に、第1のネットワークノード、第1のネットワークノードにおける方法、移動局、および移動局における方法に関するものである。特に、移動局が移動局のエネルギー状況に基づきエネルギーを節約することを可能にするための機構が、本明細書において説明されている。
【背景技術】
【０００２】
ユーザ機器(UE)、ワイヤレス端末、および/または携帯端末としても知られている、移動局は、ときにはセルラー無線システムとも称される、ワイヤレス通信ネットワークにおいてワイヤレス方式で通信することを可能にされる。通信は、たとえば、無線アクセスネットワーク(RAN)および場合によっては1つまたは複数のコアネットワークを介して、ユーザ機器同士間、ユーザ機器と有線電話との間、および/またはユーザ機器とサーバとの間で行われ得る。ワイヤレス通信は、音声、メッセージング、パケットデータ、ビデオ、ブロードキャストなどの様々な通信サービスを含み得る。
【０００３】
移動局は、携帯電話、セルラー電話、コンピュータタブレット、またはワイヤレス機能を備えるラップトップなどともさらに称され得る。本発明の文脈における移動局は、たとえば、別の移動局、固定エンティティ(stationary entity)、またはサーバなどの、別のエンティティと、無線アクセスネットワークを介して、音声および/またはデータを伝達することを可能にされた、ポータブル、ポケット収納可能、ハンドヘルド、コンピュータ搭載、または車載のモバイルデバイスであってよい。
【０００４】
ワイヤレス通信ネットワークは、いくつかのセルエリアに分割された地理的エリアをカバーし、各セルエリアはネットワークノード、無線ネットワークノード、または基地局、たとえば、無線基地局(RBS)またはベーストランシーバ基地局(BTS)のサービスを受け、これらは、いくつかのネットワークにおいて、使用されている技術および/または用語に応じて、「eNB」、「eNodeB」、「NodeB」、もしくは「Bノード」と称され得る。
【０００５】
ときには、「セル」という表現は、ネットワークノードそれ自体を表すために使用され得る。しかしながら、セルは、通常の用語として、無線カバレッジが基地局サイトでネットワークノードによって提供される地理的エリアでも使用され得る。基地局サイトに配置されている、1つのネットワークノードは、1つまたは複数のセルにサービスを提供することができる。ネットワークノードは、それぞれのネットワークノードの範囲内にある移動局と無線周波数で動作するエアインターフェース上で通信することができる。
【０００６】
いくつかの無線アクセスネットワークにおいて、いくつかのネットワークノードが、たとえば、地上通信回線またはマイクロ波によって、たとえば、ユニバーサルモバイル通信システム(UMTS)において、無線ネットワーク制御装置(RNC)に接続され得る。たとえば、GSM(登録商標)における、ときには基地局制御装置(BSC)とも称される、RNCは、それに接続されている複数の無線ネットワークノードの様々な活動を監視し、調整することができる。GSM(登録商標)は、グローバルシステムフォーモバイルコミュニケーションズ(原語:Groupe Special Mobile)の略語である。
【０００７】
第3世代パートナーシッププロジェクト(3GPP)ロングタームエボリューション(LTE)では、eNodeBまたはeNBと称され得る、ネットワークノードは、ゲートウェイ、たとえば、無線アクセスゲートウェイに、1つまたは複数のコアネットワークに接続され得る。LTEは、GSM(登録商標)/EDGEおよびUMTS/HSPAネットワーク技術に基づいており、コアネットワークの改良とともに異なる無線インターフェースを使用することで容量および速度を向上させている。
【０００８】
LTE-Advanced、すなわち、LTE Release10およびそれ以降のリリースは、コスト効率の高い仕方でより高いビットレートを実現し、それと同時に、4Gとも称される、国際電気通信連合(ITU)国際移動体通信(IMT)-Advancedによって定められている要求条件を完全に満たすように定められている。
【０００９】
本発明の文脈において、ダウンリンク、下流リンク、またはフォワードリンクという表現は、ネットワークノードから移動局への伝送路に使用され得る。アップリンク、上流リンク、またはリバースリンクという表現は、反対方向の、すなわち、移動局からネットワークノードへの、伝送路に使用され得る。
【００１０】
無線ネットワークノードの高密度化の結果として、将来の無線アクセスネットワークに関してスペクトル効率の要求条件が想定されることが予想される。しかしながら、研究成果から、単純なネットワーク高密度化は、全体のエネルギーコストを著しく押し上げることがわかっている。したがって、将来の世代の高密度無線アクセスネットワークは、スペクトル効率とエネルギー効率の両方を達成するように協調設計されるべきである。エネルギー効率の高い解決方法は、たとえば、ランニングコストを低減するために、ネットワーク側にとって、および電池寿命を延ばし、ユーザエクスペリエンスを向上させるために、移動局デバイス側にとって有利である。
【００１１】
ネットワーク側でエネルギー節約を達成する一方法は、無線アクセスネットワークノードが、たとえば、サービスを受けるべきトラフィックがあるときに、短いアクティブ期間とそれに続く制限付き送信および受信機能を使用する長い休眠状態(すなわち、「オフ状態」)において間欠送信(DTX)モードで動作することを可能にすることである。従来技術の3GPPロングタームエボリューション(LTE)システムの将来のリリースでは、たとえば、トラフィック変動または他の関連するネットワーク統計量に従うようにネットワークノードを動的にオン/オフすることによって、増強されたスモールセル動作(すなわち、小さなカバーエリアを有するネットワークノード)のためにこの特徴を採用するものとする。
【００１２】
しかしながら、ネットワーク側でエネルギー節約を可能にする解決方法は、実際には、移動局の基本動作のうちのいくつかに対してより高いエネルギー消費量を決定し得る。たとえば、ネットワークノードがDTXモードで動作することを可能にされていれば、移動局がネットワークノードを検出し、同期し、信号強度を測定するのを補助するために典型的に送信されるいくつかのまたはすべての信号は、存在していないか、または散発的にしか送信され得ない。したがって、ネットワークノードが常にアクティブであるシステム向けに設計された、セル探索、ハンドオーバ、無線リソース管理(RRM)測定、無線リンク管理(RLM)測定などの手順は、ネットワークノードがDTXモードで動作するときに非効率的なものとなることがあり、それによって、移動局デバイスにおいてエネルギー消費量が高くなることがある。
【００１３】
たとえば、3GPP LTE-Advanced Rel.12システムは、移動局での休眠しているネットワークノードの検出を補助し、スピードアップさせるためにDTXモードの休眠状態にあるネットワークノードによって送信されるダウンリンク発見参照信号(DRS)を導入するものとする。しかしながら、現在のLTEシステム設計は、DTXモードで動作しているネットワークノードを監視するときに、またはセル探索、ハンドオーバ、RRM測定、RLM測定などの移動局の他の基本動作のために、移動局におけるエネルギー節約を直接制御するためのいかなる手段も用意しない。
【００１４】
したがって、移動局のエネルギー状況または移動局と関連付けられている他のエネルギー節約情報を説明する移動局におけるエネルギー節約を制御し、および/または可能にするための方法は、既存の、または将来の無線通信システムにおいて有利であり得る。
【００１５】
3GPP LTE-Aシステムにおいてエネルギー節約を行うための第1の従来技術の方法において、移動局は、間欠受信(DRX)モードで、および高速パケットアクセス(HSPA)の場合には、電池寿命を最大化するために間欠送信(DTX)モードで構成され得る。DRXモードでは、移動局は、DRXサイクル毎に1つのサブフレームだけでダウンリンク制御シグナリングを監視し、残りのサブフレームでは受信機回路がオフ状態にされてスリープするように構成される。
【００１６】
第1の従来技術の方法の欠点は、移動局に対するDRXモードの構成が移動局からのいかなるフィードバックにも依存しないという点である。たとえば性能の観点から、電池が完全充電状態にある移動局に対していかなるDRXも適用しないことが有利であり得る。
【００１７】
第2の従来技術の方法において、モバイルノードは、少なくとも1つのネットワークエネルギー節約情報、すなわち、移動局がネットワークエネルギー節約に参加することを受け入れるかどうか、および/または移動局がネットワークエネルギー節約にどれだけ寄与したいかを、好ましい、または受け入れられたネットワークエネルギー節約モードに関連付けられているネットワーク制御ノードに送信することを可能にされる。複数の移動局から情報を収集することによって、ネットワーク制御ノードは、間欠送信および/または受信、アンテナ送信技術、たとえば、多入力多出力(MIMO)方式、基地局セクタ切り替え、マルチホップ送信、無線アクセス技術切り替えなどの、1つまたは複数の送信方式を通じてネットワークエネルギー節約を可能にし得る。
【００１８】
第2の従来技術の方法の欠点は、それが移動局に対していかなるエネルギー節約も行わない、または移動局に対する何らかのエネルギー節約を行うことを目指すことすらせず、むしろネットワーク側で行う点である。移動局からのフィードバックは、ネットワークのエネルギー節約に対する送信方式の構成を決定することを意図されている。移動局によって送信されるフィードバック情報は、むしろ、移動局がネットワークのエネルギー節約に進んで参加することを確認するものである。
【００１９】
第3の従来技術の方法において、発見参照信号(DRS)の構成に関連付けられているネットワークアシスタンスは、サービングネットワークノードによってサービスを受ける移動局に提供され、DTXモードで動作しているネットワークノードの監視を補助する。ネットワークアシスタンスは、セルのクラスタに同期するのを回避することによってセル検出に対する移動局の負担を低減するための、DTXモードで動作している1つまたは複数のネットワークノードの大まかな同期タイミング、移動局が監視する必要がある休眠状態にある隣接ネットワークノードを識別するための物理的セルID(PCI)情報、DRS信号の種類、たとえば、時間周波数パターン、アンテナポートなどの群の中の1つまたは複数に関連付けられている情報を含み得る。
【００２０】
第3の従来技術の方法の欠点は、ネットワークアシスタンスによって提供される情報は、前記動作のエネルギー効率ではなく、DTXモードで動作している他のネットワークノードの検出確率のみを改善することを目指している点である。したがって、電池残量が中/低になっている移動局は、DTXモードのネットワークノードによって送信されるダウンリンク信号の永続的監視によって休眠しているノードの検出を改善するパラメータにより構成され、それによって、移動局においてなおいっそう高いエネルギー消費量を必要とし得る。
【００２１】
第4の従来技術において、ネットワークアシスタンスは、監視されるべきDTXモードで動作している他のネットワークノードのリアクティベーション時間に関連付けられたタイミング情報を提供し、それにより、移動局が休眠しているネットワークノードを監視すべきかどうか、いつ監視すべきかを決定することを可能にする。
【００２２】
第4の従来技術の欠点は、ネットワーク側が、大きなシグナリングオーバーヘッドを費やして頻繁な情報更新を行うことにより移動局に対する厳しい管理を維持するものである点である。
【００２３】
第5の従来技術において、休眠状態にあるネットワークノードは、発見参照信号内のリアクティベーション時間と関連付けられているタイミング情報を符号化し、それによって、移動局が、休眠しているノードを監視し続けるかどうかを決定し、初期同期化および測定を実行するか(たとえば、リアクティベーション時間が差し迫っている場合)またはしばらく経ってからネットワークノードを監視することを再開することを可能にし、それによりエネルギーを節約する。
【００２４】
第5の従来技術の欠点は、たとえば、ブラインド復号によってテストされる場合の数のせいで、移動局側での検出の複雑さが潜在的に高くなり、それによって、休眠しているネットワークノードの発見のエネルギー効率を低下させる点である。
【００２５】
したがって、引用されている従来技術は、移動局におけるエネルギー節約を直接的に制御するのに十分な解決方法を提供しない。
【発明の概要】
【課題を解決するための手段】
【００２６】
したがって、上述の不利点のうちの少なくともいくつかを取り除き、ワイヤレス通信ネットワーク内の移動局におけるエネルギーを節約することが目的である。
【００２７】
この、および他の目的は、付属の独立請求項の特徴によって達成される。さらなる実装形態は、従属請求項、説明、および図から明らかである。
【００２８】
第1の態様によれば、移動局のエネルギー状況を指示する、移動局と関連付けられているエネルギー節約情報を生成するように構成されている、移動局が実現される。移動局は、前記移動局のエネルギー状況を指示する、前記移動局と関連付けられているエネルギー節約情報を生成するように構成されている、プロセッサを備える。また、移動局は、エネルギー節約情報を少なくとも1つの第1のネットワークノードに送信するように構成されている、送信機を備える。さらに、移動局は、それに加えて、エネルギー節約情報に基づき、エネルギー節約のための命令を前記少なくとも1つの第1のネットワークノードから受信するように構成されている、受信機を備える。
【００２９】
それによって、移動局の電池レベルが低いときに移動局におけるエネルギーを節約し、移動局のアクションを、潜在的に命を救うものであり得る、緊急通話を確立するなどの優先アクションに制限し、監視アクションなどの緊急度の低いアクションを制限するか、または抑制することが可能になる。それによって、移動局に対するリロード間の電池寿命が引き延ばされる。
【００３０】
第1の態様による移動局の第1の可能な実装において、エネルギー節約情報は、移動局の少なくとも1つの動作と関連付けられているエネルギー節約構成を含み得る。
【００３１】
それによって、移動局は、移動局の電池レベルに基づき、移動局の少なくとも1つの動作と関連付けられる好ましい、または受け入れられた構成を選択することによってそれ自体のエネルギー節約にアクティブに影響を及ぼすことが可能にされる。
【００３２】
第1の態様による移動局の第2の可能な実装、または第1の可能な実装において、前記移動局のエネルギー状況は、移動局の電池レベルの指示を含み得る。
【００３３】
したがって、移動局は、移動局のエネルギー状況を第1のネットワークノードに提供し、それにより、第1のネットワークノードが再充電から再充電までの間の電池動作可能寿命を引き延ばすために、移動局のエネルギー状況に基づき、移動局の適切な構成を決定することを可能にする。
【００３４】
第1の態様による移動局の第3の可能な実装、または前述の任意の可能な実装において、エネルギー節約構成は、第1のネットワークノードとは異なる、間欠送信モードで動作している少なくとも1つの他のネットワークノードの監視と関連付けられているパラメータのエネルギー節約構成、特に間欠受信モード、間欠送信モード、無線リソース制御アイドルモード、および/またはスリーピングモードへの、移動局のエネルギー節約モードの構成、移動局に対する無線リソース管理測定および/または無線リンク監視測定の構成、特にセル探索、セル検出、ランダムアクセス、ネットワークノードの監視、他の移動局を監視および/または発見すること、および/またはデバイス間の動作の構成への別の移動局の動作のエネルギー節約構成のうちの少なくとも1つを含み得る。
【００３５】
それによって、移動局におけるエネルギーが節約され、これは、移動局の電池レベルが低い、すなわち、閾値レベル未満であるときに移動局のユーザにとって特に価値があり得る。
【００３６】
第1の態様による移動局の第4の可能な実装、または前述の任意の可能な実装において、受信機は、少なくとも1つの第1のネットワークノードから、移動局のエネルギー節約情報の要求を受信するようにさらに構成され得る。
【００３７】
したがって、第1のネットワークノードは、移動局からの移動局の電池レベルおよび/または移動局の動作と関連付けられているパラメータの好ましい、もしくは受け入れられたエネルギー節約構成などのエネルギー節約情報を呼び出し、それによって、ネットワーク側だけでなく、移動局側でもセル内のエネルギー管理を制御し、エネルギー消費量の低減を行うことができる。
【００３８】
第1の態様による移動局の第5の可能な実装、または前述の任意の可能な実装において、エネルギー節約情報は、第1のネットワークノードとは異なる、間欠送信モードで動作している少なくとも1つの他のネットワークノードの監視と関連付けられ得る。
【００３９】
それによって、ワイヤレス通信ネットワーク内の他のネットワークノードが、ローデューティサイクルの間欠送信モードで動作するときに、移動局側での信号測定などの適時のエネルギー効率の高いセル検出および監視が保証される。さらに、他のネットワークノードが信号を送信するときに定期的な機会に分配される、移動局に対する短いが正確な定期的監視時間を有効化することによって、移動局の電池動作可能時間が引き延ばされ、結果としてユーザエクスペリエンスが潜在的に向上し得る。
【００４０】
第1の態様による移動局の第6の可能な実装、または前述の任意の可能な実装において、エネルギー節約情報は、前記移動局の少なくとも1つの動作に対するエネルギー節約構成に対する要求またはトリガー、および/または移動局がエネルギー節約モードに入っていることを示す通知を指示し得る。
【００４１】
それの利点は、電池残量が不足しつつあるときに移動局がエネルギー消費を低減するための措置を自律的に講じることができる点である。
【００４２】
第1の態様による移動局の第7の可能な実装、または前述の任意の可能な実装において、エネルギー節約のための受信された命令は、第1のネットワークノードとは異なる、間欠送信モードで動作している少なくとも1つの他のネットワークノードの監視と関連付けられているパラメータのエネルギー節約構成、特に間欠受信モード、間欠送信モード、無線リソース制御アイドルモード、および/またはスリーピングモードへの、移動局のエネルギー節約モードの構成、移動局に対する無線リソース管理測定および/または無線リンク監視測定の構成、および特にセル探索、セル検出、ランダムアクセス、ネットワークノードの監視、他の移動局を監視および/または発見すること、および/またはデバイス間の動作の構成への別の移動局の動作のエネルギー節約構成のうちの少なくとも1つを含み得る。
【００４３】
したがって、エネルギーは、サービングネットワークノードが移動局の情報に基づき適切なパラメータを構成することを可能にすることによって移動局において節約される。
【００４４】
第2の態様によれば、移動局におけるエネルギーを節約するための、移動局における方法が提供される。方法は、移動局のエネルギー状況を指示する、前記移動局と関連付けられているエネルギー節約情報を生成することと、エネルギー節約情報を少なくとも1つの第1のネットワークノードに送信することと、エネルギー節約情報に基づき、少なくとも1つの第1のネットワークノードからエネルギー節約のための命令を受信することとを含む。
【００４５】
それによって、移動局の電池レベルが低いときに移動局におけるエネルギーを節約し、移動局のアクションを、潜在的に命を救うものであり得る、緊急通話を確立するなどの優先アクションに制限し、監視アクションなどの緊急度の低いアクションを制限するか、または抑制することが可能になる。それによって、移動局に対するリロード間の電池寿命が引き延ばされる。
【００４６】
第2の態様による方法の第1の可能な実装において、方法は、少なくとも1つのネットワークノードから、移動局のエネルギー節約情報の要求を受信することを含み得る。
【００４７】
したがって、第1のネットワークノードは、移動局からの移動局の電池レベルおよび/または移動局の動作と関連付けられているパラメータの好ましい、もしくは受け入れられたエネルギー節約構成などのエネルギー節約情報を呼び出し、それによって、ネットワーク側だけでなく、移動局側でもセル内のエネルギー管理を制御し、エネルギー消費量の低減を行うことができる。
【００４８】
第2の態様による方法の第2の可能な実装、またはそれの前述の任意の実装において、エネルギー節約情報は、移動局の少なくとも1つの動作と関連付けられているエネルギー節約構成を含み得る。
【００４９】
それによって、移動局は、移動局の電池レベルに基づき、好ましい、または受け入れられた構成を選択することによってそれ自体のエネルギー節約にアクティブに影響を及ぼすことが可能にされる。
【００５０】
第2の態様による方法の第3の可能な実装、またはそれの前述の任意の実装において、移動局のエネルギー状況は、移動局の電池レベルの指示を含み得る。
【００５１】
したがって、移動局は、移動局のエネルギー状況を第1のネットワークノードに提供し、それにより、第1のネットワークノードが再充電から再充電までの間の電池動作可能寿命を引き延ばすために、移動局のエネルギー状況に基づき、移動局の適切な構成を決定することを可能にする。
【００５２】
第2の態様による方法の第4の可能な実装、またはそれの前述の任意の実装において、エネルギー節約構成は、第1のネットワークノードとは異なる、間欠送信モードで動作している少なくとも1つの他のネットワークノードの監視と関連付けられているパラメータのエネルギー節約構成、特に間欠受信モード、間欠送信モード、無線リソース制御アイドルモード、および/またはスリーピングモードへの、移動局のエネルギー節約モードの構成、移動局に対する無線リソース管理測定および/または無線リンク監視測定の構成、特にセル探索、セル検出、ランダムアクセス、ネットワークノードの監視、他の移動局を監視および/または発見すること、および/またはデバイス間の動作の構成への別の移動局の動作のエネルギー節約構成のうちの少なくとも1つを含み得る。
【００５３】
それによって、移動局におけるエネルギーが節約され、これは、移動局の電池レベルが低い、すなわち、閾値レベル未満であるときに移動局のユーザにとって特に価値があり得る。
【００５４】
第2の態様による方法の第5の可能な実装、またはそれの前述の任意の実装において、エネルギー節約情報は、第1のネットワークノードとは異なる、間欠送信モードで動作している少なくとも1つの他のネットワークノードの監視と関連付けられ得る。
【００５５】
それによって、ワイヤレス通信ネットワーク内の他のネットワークノードが、ローデューティサイクルの間欠送信モードで動作するときに、移動局側での信号測定などの適時のエネルギー効率の高いセル検出および監視が保証される。さらに、他のネットワークノードが信号を送信するときに定期的な機会に分配される、移動局に対する短いが正確な定期的監視時間を有効化することによって、移動局の電池動作可能時間が引き延ばされ、結果としてユーザエクスペリエンスが潜在的に向上し得る。
【００５６】
第2の態様による方法の第6の可能な実装、またはそれの前述の任意の実装において、エネルギー節約情報は、前記移動局の少なくとも1つの動作に対するエネルギー節約構成に対する要求またはトリガー、および/または移動局がエネルギー節約モードに入っていることを示す通知を指示し得る。
【００５７】
それの利点は、電池残量が不足しつつあるときに移動局がエネルギー消費を低減するための措置を自律的に講じることができる点である。
【００５８】
第2の態様による方法の第7の可能な実装、またはそれの前述の任意の実装において、エネルギー節約のための受信された命令は、第1のネットワークノードとは異なる、間欠送信モードで動作している少なくとも1つの他のネットワークノードの監視と関連付けられているパラメータのエネルギー節約構成、特に間欠受信モード、間欠送信モード、無線リソース制御アイドルモード、および/またはスリーピングモードへの、移動局のエネルギー節約モードの構成、移動局に対する無線リソース管理測定および/または無線リンク監視測定の構成、および特にセル探索、セル検出、ランダムアクセス、ネットワークノードの監視、他の移動局を監視および/または発見すること、および/またはデバイス間の動作の構成への別の移動局の動作のエネルギー節約構成のうちの少なくとも1つを含み得る。
【００５９】
したがって、エネルギーは、サービングネットワークノードが移動局の情報に基づき適切なパラメータを構成することを可能にすることによって移動局において節約される。
【００６０】
第4の態様によれば、第2の態様による方法を実行するためのプログラムコードを含むコンピュータプログラムが提供され、これはコンピュータプログラムが移動局のプロセッサ内にロードされたときに移動局においてエネルギーを節約する。
【００６１】
それによって、移動局の電池レベルが低いときに移動局におけるエネルギーを節約し、移動局のアクションを、潜在的に命を救うものであり得る、緊急通話を確立するなどの優先アクションに制限し、監視アクションなどの緊急度の低いアクションを制限するか、または抑制することが可能になる。それによって、移動局に対するリロード間の電池寿命が引き延ばされる。
【００６２】
さらに一態様によれば、移動局においてエネルギーを節約するためのプログラムコードが記憶されているコンピュータ可読記憶媒体を含むコンピュータプログラム製品が提供され、ここにおいて、プログラムコードは第2の態様による方法を実行するための命令を含み、方法は移動局のエネルギー状況を指示する、前記移動局と関連付けられているエネルギー節約情報を生成することと、エネルギー節約情報を少なくとも1つの第1のネットワークノードに送信することと、エネルギー節約情報に基づき、少なくとも1つの第1のネットワークノードからエネルギー節約のための命令を受信することとを含む。
【００６３】
それによって、移動局の電池レベルが低いときに移動局におけるエネルギーを節約し、移動局のアクションを、潜在的に命を救うものであり得る、緊急通話を確立するなどの優先アクションに制限し、監視アクションなどの緊急度の低いアクションを制限するか、または抑制することが可能になる。それによって、移動局に対するリロード間の電池寿命が引き延ばされる。
【００６４】
さらなる追加の態様によれば、前記移動局のエネルギー状況を指示する、移動局からエネルギー節約情報を受信するように構成されている、受信機を備える、第1のネットワークノードが実現される。第1のネットワークノードは、受信されたエネルギー節約情報に基づき、移動局におけるエネルギー節約のための命令を生成するように構成されている、プロセッサも備える。それに加えて、第1のネットワークノードは、エネルギー節約のための命令を移動局に送信するように構成されている、送信機も備える。
【００６５】
この態様の利点は、移動局におけるエネルギー節約が移動局の電池レベルが低くなったときに可能にされるという点である。それによって、移動局のアクションを、潜在的に命を救うものであり得る、緊急通話を確立するなどの優先アクションに制限し、監視アクションなどの緊急度の低いアクションを制限するか、または抑制することが可能になる。それによって、移動局に対するリロード間の電池寿命が引き延ばされる。
【００６６】
第1のネットワークノードを含む追加の態様の第1の可能な実装において、送信機は移動局のエネルギー節約情報に対する要求を移動局に送信するようにさらに構成され得る。
【００６７】
したがって、第1のネットワークノードは、移動局からの移動局の電池レベルなどのエネルギー節約情報を呼び出し、それによって、ネットワーク側だけでなく、移動局側でもセル内のエネルギー管理を制御し、エネルギー消費量の低減を行うことができる。
【００６８】
第1のネットワークノードを含む追加の態様の第2の可能な実装、またはそれの前述の任意の実装において、エネルギー節約情報は、前記移動局の少なくとも1つの動作と関連付けられているエネルギー節約構成をさらに含み得る。
【００６９】
それによって、移動局は、移動局の電池レベルに基づき、好ましい、または受け入れられた構成を選択することによってそれ自体のエネルギー節約にアクティブに影響を及ぼし、そのエネルギー節約情報を第1のネットワークノードに送信することが可能にされる。
【００７０】
第1のネットワークノードを含む追加の態様の第3の可能な実装、またはそれの前述の任意の実装において、移動局のエネルギー状況は、移動局の電池レベルの指示を含み得る。
【００７１】
したがって、移動局は、移動局のエネルギー状況を第1のネットワークノードに提供し、それにより、第1のネットワークノードが再充電から再充電までの間の電池動作可能寿命を引き延ばすために、移動局のエネルギー状況に基づき、移動局の適切な構成を決定することを可能にする。
【００７２】
第1のネットワークノードを含む追加の態様の第4の可能な実装、またはそれの前述の任意の実装において、エネルギー節約構成は、第1のネットワークノードとは異なる、間欠送信モードで動作している少なくとも1つの他のネットワークノードの監視と関連付けられているパラメータのエネルギー節約構成、特に間欠受信モード、間欠送信モード、無線リソース制御アイドルモード、および/またはスリーピングモードへの、移動局のエネルギー節約モードの構成、移動局に対する無線リソース管理測定および/または無線リンク監視測定の構成、特にセル探索、セル検出、ランダムアクセス、ネットワークノードの監視、他の移動局を監視および/または発見すること、および/またはデバイス間の動作の構成への別の移動局の動作のエネルギー節約構成のうちの少なくとも1つを含み得る。
【００７３】
それによって、移動局におけるエネルギーが節約され、これは、移動局の電池レベルが低い、すなわち、閾値レベル未満であるときに移動局のユーザにとって特に価値があり得る。
【００７４】
第1のネットワークノードを含む追加の態様の第5の可能な実装、またはそれの前述の任意の実装において、エネルギー節約情報は、第1のネットワークノードとは異なる、間欠送信モードで動作している少なくとも1つの他のネットワークノードの監視と関連付けられ得る。
【００７５】
それによって、ワイヤレス通信ネットワーク内の他のネットワークノードが、ローデューティサイクルの間欠送信モードで動作するときに、移動局側での信号測定などの適時のエネルギー効率の高いセル検出および監視が保証される。さらに、他のネットワークノードが信号を送信するときに定期的な機会に分配される、移動局に対する短いが正確な定期的監視時間を有効化することによって、移動局の電池動作可能時間が引き延ばされ、結果としてユーザエクスペリエンスが潜在的に向上し得る。
【００７６】
第1のネットワークノードを含む追加の態様の第6の可能な実装、またはそれの前述の任意の実装において、エネルギー節約情報は、前記移動局の少なくとも1つの動作に対するエネルギー節約構成に対する要求またはトリガー、および/または移動局がエネルギー節約モードに入っていることを示す通知を指示し得る。
【００７７】
それの利点は、電池残量が不足しつつあるときに移動局がエネルギー消費を低減するための措置を自律的に講じることができる点である。
【００７８】
第1のネットワークノードを含む追加の態様の第7の可能な実装、またはそれの前述の任意の実装において、エネルギー節約のための送信される命令は、第1のネットワークノードとは異なる、間欠送信モードで動作している少なくとも1つの他のネットワークノードの監視と関連付けられているパラメータのエネルギー節約構成、特に間欠受信モード、間欠送信モード、無線リソース制御アイドルモード、および/またはスリーピングモードへの、移動局のエネルギー節約モードの構成、移動局に対する無線リソース管理測定および/または無線リンク監視測定の構成、および特にセル探索、セル検出、ランダムアクセス、ネットワークノードの監視、他の移動局を監視および/または発見すること、および/またはデバイス間の動作の構成への別の移動局の動作のエネルギー節約構成のうちの少なくとも1つを含み得る。
【００７９】
したがって、エネルギーは、サービングネットワークノードが移動局の情報に基づき適切なパラメータを構成することを可能にすることによって移動局において節約される。
【００８０】
さらなる態様によれば、移動局におけるエネルギーを節約するための、第1のネットワークノードにおける方法が提供される。方法は、移動局から、前記移動局のエネルギー状況を指示する、エネルギー節約情報を受信することと、受信されたエネルギー節約情報に基づき、移動局におけるエネルギー節約のための命令を生成することと、エネルギー節約のための生成された命令を移動局に送信することとを含む。
【００８１】
それによって、移動局の電池レベルが低いときに移動局におけるエネルギーを節約し、移動局のアクションを、潜在的に命を救うものであり得る、緊急通話を確立するなどの優先アクションに制限し、監視アクションなどの緊急度の低いアクションを制限するか、または抑制することが可能になる。それによって、移動局に対するリロード間の電池寿命が引き延ばされる。
【００８２】
第1のネットワークノードにおける方法を含むさらなる態様の第1の可能な実装において、方法は、移動局に、移動局のエネルギー節約情報に対する要求を送信することをさらに含み得る。
【００８３】
それによって、第1のネットワークノードは、移動局からの移動局の電池レベルおよび/または移動局の動作と関連付けられているパラメータの好ましい、もしくは受け入れられたエネルギー節約構成などのエネルギー節約情報を呼び出し、それによって、ネットワーク側だけでなく、移動局側でもセル内のエネルギー管理を制御し、エネルギー消費量の低減を行うことができる。
【００８４】
第1のネットワークノードにおける方法を含むさらなる態様の第2の可能な実装、またはそれの前述の任意の実装において、エネルギー節約情報は、移動局の少なくとも1つの動作と関連付けられているエネルギー節約構成をさらに含み得る。
【００８５】
それによって、移動局は、移動局の電池レベルに基づき、好ましい、または受け入れられた構成を選択することによってそれ自体のエネルギー節約にアクティブに影響を及ぼし、そのエネルギー節約情報を第1のネットワークノードに送信することが可能にされる。
【００８６】
第1のネットワークノードにおける方法を含むさらなる態様の第3の可能な実装、またはそれの前述の任意の実装において、前記移動局のエネルギー状況は、電池レベルの指示を含み得る。
【００８７】
したがって、移動局は、移動局のエネルギー状況を第1のネットワークノードに提供し、それにより、第1のネットワークノードが再充電から再充電までの間の電池動作可能寿命を引き延ばすために、移動局のエネルギー状況に基づき、移動局の適切な構成を決定することを可能にする。
【００８８】
第1のネットワークノードにおける方法を含む追加の態様の第4の可能な実装、またはそれの前述の任意の実装において、エネルギー節約構成は、第1のネットワークノードとは異なる、間欠送信モードで動作している少なくとも1つの他のネットワークノードの監視と関連付けられているパラメータのエネルギー節約構成、特に間欠受信モード、間欠送信モード、無線リソース制御アイドルモード、および/またはスリーピングモードへの、移動局のエネルギー節約モードの構成、移動局に対する無線リソース管理測定および/または無線リンク監視測定の構成、特にセル探索、セル検出、ランダムアクセス、ネットワークノードの監視、他の移動局を監視および/または発見すること、および/またはデバイス間の動作の構成への別の移動局の動作のエネルギー節約構成のうちの少なくとも1つを含み得る。
【００８９】
それによって、移動局におけるエネルギーが節約され、これは、移動局の電池レベルが低い、すなわち、閾値レベル未満であるときに移動局のユーザにとって特に価値があり得る。
【００９０】
第1のネットワークノードにおける方法を含む追加の態様の第5の可能な実装、またはそれの前述の任意の実装において、エネルギー節約情報は、第1のネットワークノードとは異なる、間欠送信モードで動作している少なくとも1つの他のネットワークノードの監視と関連付けられ得る。
【００９１】
それによって、ワイヤレス通信ネットワーク内の他のネットワークノードが、ローデューティサイクルの間欠送信モードで動作するときに、移動局側での信号測定などの適時のエネルギー効率の高いセル検出および監視が保証される。さらに、他のネットワークノードが信号を送信するときに定期的な機会に分配される、移動局に対する短いが正確な定期的監視時間を有効化することによって、移動局の電池動作可能時間が引き延ばされ、結果としてユーザエクスペリエンスが潜在的に向上し得る。
【００９２】
第1のネットワークノードにおける方法を含む追加の態様の第6の可能な実装、またはそれの前述の任意の実装において、エネルギー節約情報は、前記移動局の少なくとも1つの動作に対するエネルギー節約構成に対する要求またはトリガー、および/または移動局がエネルギー節約モードに入っていることを示す通知を指示し得る。
【００９３】
それの利点は、電池残量が不足しつつあるときに移動局がエネルギー消費を低減するための措置を自律的に講じることができる点である。
【００９４】
第1のネットワークノードにおける方法を含む追加の態様の第7の可能な実装、またはそれの前述の任意の実装において、エネルギー節約のための送信される命令は、第1のネットワークノードとは異なる、間欠送信モードで動作している少なくとも1つの他のネットワークノードの監視と関連付けられているパラメータのエネルギー節約構成、特に間欠受信モード、間欠送信モード、無線リソース制御アイドルモード、および/またはスリーピングモードへの、移動局のエネルギー節約モードの構成、移動局に対する無線リソース管理測定および/または無線リンク監視測定の構成、および特にセル探索、セル検出、ランダムアクセス、ネットワークノードの監視、他の移動局を監視および/または発見すること、および/またはデバイス間の動作の構成への別の移動局の動作のエネルギー節約構成のうちの少なくとも1つを含み得る。
【００９５】
したがって、エネルギーは、サービングネットワークノードが移動局の情報に基づき適切なパラメータを構成することを可能にすることによって移動局において節約される。
【００９６】
別のさらなる態様によれば、コンピュータプログラムが第1のネットワークノードのプロセッサにロードされるときに移動局におけるエネルギーを節約するための、第1のネットワークノードにおいて方法を実行するためのプログラムコードを含むコンピュータプログラムが提供される。
【００９７】
それによって、移動局の電池レベルが低いときに移動局におけるエネルギーを節約し、移動局のアクションを、潜在的に命を救うものであり得る、緊急通話を確立するなどの優先アクションに制限し、監視アクションなどの緊急度の低いアクションを制限するか、または抑制することが可能になる。それによって、移動局に対するリロード間の電池寿命が引き延ばされる。
【００９８】
さらに一態様によれば、移動局においてエネルギーを節約するためのプログラムコードが記憶されているコンピュータ可読記憶媒体を含むコンピュータプログラム製品が提供され、ここにおいて、プログラムコードは第1のネットワークノードにおける方法を実行するための命令を含み、方法は移動局から、前記移動局のエネルギー状況を指示する、エネルギー節約情報を受信することと、受信されたエネルギー節約情報に基づき、移動局におけるエネルギー節約のための命令を生成することと、エネルギー節約のための生成された命令を移動局に送信することとを含む。
【００９９】
それによって、移動局の電池レベルが低いときに移動局におけるエネルギーを節約し、移動局のアクションを、潜在的に命を救うものであり得る、緊急通話を確立するなどの優先アクションに制限し、監視アクションなどの緊急度の低いアクションを制限するか、または抑制することが可能になる。それによって、移動局に対するリロード間の電池寿命が引き延ばされる。
【０１００】
それによって、移動局においてエネルギーが節約され、充電と充電との間の電池活動時間を長くすることができる。また、通信システム内のシグナリングが少なくなると、システム内に発生する干渉が減る。それによって、ワイヤレス通信ネットワーク内の性能の改善がなされる。
【０１０１】
説明されている態様の他の目的、利点、および新規性のある特徴は、次の詳細な説明から明らかになるであろう。
【０１０２】
様々な実施形態が、実施形態の異なる例を例示する、添付図面を参照しつつより詳しく説明される。
【図面の簡単な説明】
【０１０３】
【図１】いくつかの実施形態によるワイヤレス通信ネットワークを示すブロック図である。
【図２】いくつかの実施形態による、第1のネットワークノードと移動局との間の通信を例示するブロック図である。
【図３】定期的バーストでDRSを送信する、DTXモードで動作している別のネットワークノードを例示するブロック図である。
【図４】一実施形態による移動局における方法を例示する流れ図である。
【図５】一実施形態による移動局を例示するブロック図である。
【図６】一実施形態による第1のネットワークノードにおける方法を例示する流れ図である。
【図７】一実施形態による第1のネットワークノードを例示するブロック図である。
【発明を実施するための形態】
【０１０４】
本明細書で説明されている本発明の実施形態は、これらは以下で説明されている実施形態において実現され得る、第1のネットワークノード、第1のネットワークノードにおける方法、移動局、および移動局における方法として定義される。しかしながら、これらの実施形態は、多くの異なる形態で例示され、実現されるものとしてよく、本明細書で述べられている例に限定されるべきでなく、むしろ、実施形態のこれらの図示されている例は、本開示が徹底して完全なものとなるように用意されている。
【０１０５】
さらに他の目的および特徴は、次の詳細な説明から、添付図面と併せて考察することで明らかになるであろう。しかしながら、図面は、もっぱら例示を目的として作られており、本明細書で開示されている実施形態の制限の定義として作られてはおらず、付属の請求項が参照されるべきである。さらに、図面は、必ずしも縮尺通りでなく、断りのない限り、本明細書で説明されている構造および手順を概念的に示すことだけを意図している。
【０１０６】
図1は、第1のネットワークノード110、DTXモードで動作している別のネットワークノード120、および移動局130を備えるワイヤレス通信システム100の概略図である。移動局130は、第1のネットワークノード110によるサービスを受け、それによってワイヤレス通信システム100に接続され得る。
【０１０７】
ワイヤレス通信システム100は、少なくとも部分的には、たとえば、いくつか選択肢を挙げると、3GPP LTE、LTE-Advanced、発展型ユニバーサル地上無線アクセスネットワーク(E-UTRAN)、ユニバーサルモバイル通信システム(UMTS)、グローバルシステムフォーモバイルコミュニケーションズ(原語:Groupe Special Mobile)(GSM(登録商標))/GSM(登録商標)エボリューション用エンハンストデータレート(GSM(登録商標)/EDGE)、広帯域符号分割多元接続(WCDMA(登録商標))、時分割多元接続(TDMA)ネットワーク、周波数分割多元接続(FDMA)ネットワーク、直交FDMA(OFDMA)ネットワーク、シングルキャリアFDMA(SC-FDMA)ネットワーク、ワールドワイドインターオペラビリティフォーマイクロウェーブアクセス(WiMax)、またはウルトラモバイルブロードバンド(UMB)、高速パケットアクセス(HSPA)発展型ユニバーサル地上無線アクセス(E-UTRA)、ユニバーサル地上無線アクセス(UTRA)、GSM(登録商標) EDGE無線アクセスネットワーク(GERAN)、3GPP2 CDMA技術、たとえば、CDMA2000 1x RTT、および高レートパケットデータ(HRPD)などの、無線アクセス技術に基づき得る。「ワイヤレス通信ネットワーク」、「ワイヤレス通信システム」、および/または「セルラー通信システム」という表現は、本開示の技術的文脈の範囲内で、ときには、交換可能に利用され得る。
【０１０８】
ワイヤレス通信システム100は、異なる実施形態により、時分割複信(TDD)および/または周波数分割複信(FDD)原理に従って動作するように構成され得る。
【０１０９】
TDDは、時間でアップリンク信号とダウンリンク信号とを分離する時分割多重の応用であり、場合によってはガード期間(GP)はアップリンクシグナリングとダウンリンクシグナリングとの間の時間領域内に置かれる。FDDは、送信機および受信機が異なるキャリア周波数で動作することを意味する。
【０１１０】
図1の例示の目的は、本明細書で説明されている第1のネットワークノード110、他のネットワークノード120、および移動局130などの、ワイヤレス通信システム100並びに関っている方法およびノード、ならびに関っている機能の簡略化された概要を述べることである。方法、ネットワークノード110、120、および移動局130は、その後、非限定的な例として、3GPP LTE/ LTE-Advanced環境において説明される。しかしながら、開示されている実施形態は、たとえば、上にすでに列挙されているもののうちのいずれかなどの、別のアクセス技術に基づくワイヤレス通信システム100で動作し得る。したがって、本発明の実施形態は、3GPP LTEシステムに基づき、その専門用語を使用して説明されるけれども、決して3GPP LTEに限定されない。さらに、無線ネットワークノード、ネットワークノード、基地局、およびセルという用語は、これ以降入れ替えて使用される。
【０１１１】
ワイヤレス通信システム100に含まれる例示されている第1のネットワークノード110は、移動局130とワイヤレス方式で通信するために無線信号を送受信し得る。他のネットワークノード120は、間欠送信モードで動作しており、発見参照信号(DRS)を散発的に、および/または定期的に送信し得る。そのような信号の周期は、異なる実施形態において時間の経過とともに一定であるか、不規則であるか、または一定の増減を有するものとしてよい。
【０１１２】
本明細書で説明されている実施形態は、移動局130と関連付けられているエネルギー節約情報に基づき、移動局130におけるエネルギー節約を制御し、可能にすることを目指している。エネルギー節約情報は、電池残量などの前記移動局130のエネルギー状況、および/または移動局130の少なくとも1つの動作と関連付けられているエネルギー節約情報を指示し得る。
【０１１３】
さらに、いくつかの実施形態は、DTXモードで動作している他のネットワークノード120の監視と関連付けられている動作を実行することが検出、RRM/RLM測定、および測定報告を含むときに移動局におけるエネルギー節約に向けられている。
【０１１４】
さらに、いくつかの実施形態は、移動局130がワイヤレス通信ネットワーク100においてエネルギー効率の高い仕方で動作することを支援することに関する。いくつかの実施形態のさらなる目的は、DTXモードの休眠状態で動作している他のネットワークノード120を監視するときに移動局130におけるエネルギー節約を制御することである。
【０１１５】
いくつかの実施形態は、移動局130における方法、および移動局130においてエネルギー節約を可能にするための第1のネットワークノード110における対応する方法を含む。述べた2つの方法実施形態は、合わせて、移動局130によって、移動局130と関連付けられている少なくとも1つのエネルギー節約情報を少なくとも1つの第1のネットワークノード110に送信することを含むワイヤレス通信システムにおける一方法実施形態を形成し、ここにおいて、エネルギー節約情報は、移動局130と関連付けられているエネルギー状況および/または移動局130の少なくとも1つの動作と関連付けられているエネルギー節約情報を指示する。さらに、少なくとも1つの第1のネットワークノード110が、移動局130と関連付けられている送信された少なくとも1つのエネルギー節約情報を受信したときに、第1のネットワークノード110は、少なくとも1つのエネルギー節約情報に基づき移動局130の少なくとも1つの動作に対するエネルギー節約を制御することを可能にされる。
【０１１６】
そこで、移動局130のエネルギー節約と関連付けられている情報を少なくとも1つの第1のネットワークノード110に送信するための、移動局における方法が提供され、ここにおいて、前記エネルギー節約情報は、前記移動局130と関連付けられているエネルギー状況および/または移動局130の少なくとも1つの動作と関連付けられているパラメータのエネルギー節約構成を指示する。
【０１１７】
さらに、移動局130においてエネルギー節約を制御し、および/または可能にするための、第1のネットワークノード110における対応する方法が提供される。そのような方法は、移動局130と関連付けられている少なくとも1つのエネルギー節約情報を受信することと、少なくとも1つのエネルギー節約情報を使用することによって前記移動局130の少なくとも1つの動作に対するエネルギー節約を制御することとを含み得る。
【０１１８】
移動局130によって送信されるエネルギー節約情報は、いくつかの実施形態において、移動局130と関連付けられているエネルギー状況の指示、エネルギー節約構成に対する要求、移動局130の少なくとも1つの動作と関連付けられているエネルギー節約構成に対する要求、移動局130の少なくとも1つの動作と関連付けられているパラメータの好ましい、または受け入れられた構成の指示のうちの1つまたは複数を含み得る。さらに、移動局130によって送信されるエネルギー節約情報は、セル探索手順、他のネットワークノード120によって送信されるダウンリンク参照信号を検出し、測定することなどの、ネットワークノード120の監視、ランダムアクセス手順、中継動作、他の移動局を監視し、および/または発見すること、他の移動局によって送信された参照信号を測定すること、他の移動局と同期すること、他の移動局と通信することなどの、デバイス間動作のうちの1つまたは複数の動作と関連付けられ得る。
【０１１９】
同様に、移動局130からそのようなエネルギー節約情報を受信する第1のネットワークノード110は、前記少なくとも1つのエネルギー節約情報に基づき前記移動局130の少なくとも1つの動作を制御し得る。このことは、エネルギー節約のための命令の集合を移動局130に送信することを意味し、これはセル探索、ランダムアクセス、他のネットワークノード120によって送信されるダウンリンク信号を監視すること、他の移動局によって送信される信号を監視すること、他のネットワークノード120および/または他の移動局によって送信された信号のRRM/RLM測定、他の移動局との同期、中継動作、他の移動局を監視し、および/または発見すること、他の移動局によって送信された参照信号を測定すること、他の移動局と同期すること、他の移動局と通信することなどの、デバイス間動作のうちの、移動局130の1つまたは複数の動作と関連付けられた構成パラメータを含む。
【０１２０】
したがって、移動局130は、少なくとも1つの第1のネットワーク(制御)ノード110がエネルギー節約情報に基づき移動局130の少なくとも1つの動作を適切に制御し、および/または構成することを可能にすることによってそれ自体のエネルギー節約にアクティブに影響を及ぼすことを可能にされる。
【０１２１】
図1の第1のネットワークノード110の1つのインスタンス、他のネットワークノード120の1つのインスタンス、および1つの移動局130の例示されているネットワーク設定は、一実施形態のみの非限定的な例としてみなされるべきであることに留意されたい。ワイヤレス通信ネットワーク100は、任意の他の数の説明されているネットワークノード110、120、および/もしくは移動局130、および/またはこれらの組合せを含み得る。したがって、複数の移動局130、およびネットワークノード110、120の別の構成は、開示されている発明のいくつかの実施形態に関わり得る。本明細書において「他のネットワークノード120」を参照しているときに、少なくとも1つの他のネットワークノード120は、いくつかの実施形態により、複数の他のネットワークノードの集合を含み得る。
【０１２２】
そこで、「1つの(oneまたはa/an)」第1のネットワークノード110、他のネットワークノード120、および/または移動局130が、本発明の文脈において参照される場合には必ず、いくつかの実施形態により、複数の第1のネットワークノード110および/または他のネットワークノード120および/または移動局130が関わり得る。
【０１２３】
さらに、第1のネットワークノード110および他のネットワークノード120は、いくつかの実施形態により、ダウンリンク送信およびアップリンク受信を行うように構成されるものとしてよく、それぞれ、たとえば、使用される無線アクセス技術および/または用語に応じて、たとえば、基地局、NodeB、発展型Node B(eNB、またはeNodeB)、基地トランシーバ局、アクセスポイント基地局、基地局ルータ、無線基地局(RBS)、マイクロ基地局、ピコ基地局、フェムト基地局、ホームeNodeB、センサ、ビーコンデバイス、中継ノード、リピータ、またはワイヤレスインターフェース上で移動局130と通信するように構成されている任意の他のネットワークノードとして参照され得る。
【０１２４】
移動局130は、それに対応して、異なる実施形態および異なる用語に従って、たとえば、ワイヤレス通信端末、携帯電話、携帯情報端末(PDA)、ワイヤレスプラットフォーム、ユーザ機器、タブレットコンピュータ、携帯型通信デバイス、ラップトップ、コンピュータ、中継局として働くワイヤレス端末、中継ノード、移動中継局、加入者宅内機器(CPE)、固定ワイヤレスアクセス(FWA)ノード、または第1のネットワークノード110および／もしくは他のネットワークノード120とワイヤレス方式で通信するように構成されている任意の他の種類のデバイスによって表され得る。
【０１２５】
本発明のいくつかの実施形態は、モジュール式実装アプローチを定義し、たとえば、規格、アルゴリズム、実装、コンポーネント、および製品などのレガシーシステムを再利用することを可能にし得る。
【０１２６】
図2は、少なくとも1つの第1のネットワークノード110によって、少なくともいくつかのエネルギー節約情報に対する要求を少なくとも1つの移動局130に送信する、アクションAを適宜含む、方法の一実施形態を例示している。エネルギー節約情報に対する要求は、移動局130の特定の動作と、および/または移動局130のエネルギー状況と関連付けられ得る。要求は、少なくとも1つのエネルギー節約情報を報告することを移動局130に命令するダウンリンク制御情報(DCI)フォーマット内に少なくとも1ビットを含み得る。要求は、移動局特有の方式で送信され得る、すなわち、単一の移動局をアドレス指定する要求であるか、または移動局グループ共通の方式で送信され得る、すなわち、システム100内のグループまたはすべての移動局をアドレス指定する要求であり得る。したがって、要求は、共通の探索空間または移動局特有の探索空間を使用して、LTEシステムにおける物理ダウンリンク制御チャネル(PDCCH)またはエンハンスト物理ダウンリンク制御チャネル(EPDCCH)などのダウンリンク制御チャネルで送信され得る。また、信号は、PDSCH、またはいくつかの実施形態では上位レイヤのRRCシグナリングなどの、物理ダウンリンク共有チャネルを使用することによって送信され得る。次いで、移動局130は、少なくともいくつかのエネルギー節約情報に対する要求を受信し得る。それによって、この実施形態は、第1のネットワークノード110が少なくとも1つの移動局130からエネルギー節約情報の送信をトリガーし、前記移動局130のエネルギー節約動作をしかるべく構成することを可能にする。
【０１２７】
さらに、アクションBでは、移動局130は、エネルギー節約情報を第1のネットワークノード110に報告する。エネルギー節約情報は、いくつかの実施形態において、移動局130の電池残量の指示を含み得る。いくつかの他の実施形態において、移動局130は、電池電力のスキャンを行い、その結果に基づき、移動局130の1つまたは複数の動作と関連付けられている好ましい、または受け入れられたエネルギー節約構成を選択することができる。さらに、エネルギー節約情報は、いくつかの実施形態において移動局130の電池残量の暗黙の指示を含むものとしてよく、それにより、移動局130はエネルギー節約モードに、静止モード、または類似のモードに入ることを望み、ここにおいて、監視は、あまり頻繁に行われないか、または全く行われないことすらあり得る。そのような電池電力スキャンは、移動局130によって連続的に、またはいくつかの実施形態では所定のもしくは構成可能な間隔で行われ得る。いくつかの実施形態において、電池電力レベルは、第1のネットワークノード110によって呼び出されたときにスキャンされ得る。
【０１２８】
第1のネットワークノード110は、移動局130からエネルギー節約情報を受信した後に、受信されたエネルギー節約情報に基づき、構成データ、または移動局130に対する命令を準備し得る。移動局130の電池残量が低いと、あまり頻繁でない監視を有効化する、監視動作を無効化するなどの、他の場合に比べて要求されるエネルギーが少ない構成にすることができる。
【０１２９】
最後に、第1のネットワークノード110は、構成を、または場合によっては命令を、移動局130に送信することができ、移動局130はその後しかるべく動作し得る。
【０１３０】
図3は、アクティブ期間、休眠期間、およびDTXモードで動作している別のネットワークノード120によって行われる何らかのシグナリングを例示している。
【０１３１】
他のネットワークノード120は、送信/受信能力が制限されている休眠期間(すなわち、「オフ状態」)と、その後に続く図3に例示されているようなアクティブ期間を伴う間欠送信モード(DTX)で動作するように有効化されている。休眠期間中、他のネットワークノード120は、ダウンリンク参照信号、すなわち、移動局130が休眠ノード120の存在を検出し、RRM測定を実行するのを助けることを意図されている発見参照信号(DRS)を送信するように有効化され得る。一般性を失うことなく、ここで、DRSは周期をMmsとするNmsの短いバーストで送信され、ここで、NおよびMは任意の数であり、N≦Mであると仮定される。異なるネットワークノード120によって送信されるDRS信号は、Qmsのオフセットによりさらに時分割され得る。従来技術のLTEシステムにおいて使用される用語に関して、量N、M、およびQは、同等に、時間スロット(たとえば、持続時間0.5msの)、サブフレーム(たとえば、持続時間1msの)、無線フレーム(たとえば、持続時間10msの)、またはこれらの任意の組合せに関して表すことができる。
【０１３２】
いくつかの実施形態において、第1のネットワークノード110は、移動局130に対するサービングネットワークノードであってよく、他のネットワークノード120は、移動局130がオフロードされる、またはハンドオーバされる可能性のある隣接ノードであってよい。従来技術のLTEシステムに関して、第1のネットワークノード110は、移動局130(たとえば、マクロeNodeB)にネットワークアシスタンスを提供するプライマリセル(PCell)であってよく、他のネットワークノード120は、ピコeNodeBまたはスモールセルノードなどのセカンダリセル(SCell)であってよい。第1のネットワークノード110は、いくつかの実施形態において、スモールセルノードのクラスタの動作を調整するスモールセルノードとすることがさらに可能である。
【０１３３】
一実施形態において、移動局130によって送信されるエネルギー節約情報は、第1のネットワークノード110とは異なる、DTXモードで動作している少なくとも1つの他のネットワークノード120の監視動作と関連付けられ得る。エネルギー節約情報は、移動局130のエネルギー状況および/またはDTXモードで動作している少なくとも1つの他のネットワークノード120を監視することと関連付けられているパラメータの好ましい、または受け入れられたエネルギー節約構成を指示し得る。DTXモードで動作している少なくとも1つの他のネットワークノード120を監視するためのパラメータの構成は、監視動作が、いつ、および/またはどれだけ頻繁に、および/またはどれだけの期間について行われるように構成されるべきかということに関連付けられ得る。いくつかの実施形態において、監視は、たとえば、特定の期間についてすら抑制され得る。
【０１３４】
DTXモードの他のネットワークノード120によって送信される信号の測定は、参照信号受信電力(RSRP)、参照信号受信品質(RSRQ)、受信信号強度インジケータ(RSSI)、チャネル状態情報(CSI)、チャネル品質インジケータ(CQI)、信号対雑音比干渉比(SINR)、信号対雑音比(SNR)、信号対干渉比(SIR)、または信号の強度および/または品質、および/または特定の望ましい信号と望ましくない干渉もしくは雑音との間の比を反映する任意の他の適切な測定結果の群の中の1つまたは複数を含み得る。それによって、第1のネットワークノード110は、DTXモードで動作している、少なくとも他のネットワークノード120に関連付けられている移動局130の監視動作をトリガーし得る。
【０１３５】
構成パラメータは、測定ギャップ長および/または測定ギャップ繰り返し時間などの、測定と測定との間の時間ギャップとさらに関連付けられ得る。構成パラメータは、移動局130がどの、および/またはいくつのネットワークノード110、120を監視するように構成されなければならないかということにさらに関連付けられ得る。したがって、この実施形態の一利点は、第1のネットワークノード110が前記移動局130から受信されたエネルギー節約情報に少なくとも基づきDTXモードで動作している少なくとも1つの他のネットワークノード120を監視するように移動局130に対する少なくともいくつかのパラメータを構成することを可能にすることである。
【０１３６】
説明されている実施形態の一利点は、移動局130の処理の負担を低減し、DTXモードで動作する任意の他のネットワークノード120の存在を検出し、および/またはDTXモードで動作する任意の他のネットワークノード120からRRM/RLM測定を実行することである。それによって、他のタスクに自由に利用できる移動局130の処理容量を増やせる。さらなる利点は、休眠しているネットワークノード120のセル検出を短縮するのを可能にすることによって、および不要なRRM/RLM測定を回避することによって移動局130におけるエネルギー節約を可能にすることである。これは、移動局130の電池サイズに、およびそれによって、電池容量にも制限を課す、高携帯性/スリム設計に対するユーザからの需要があるため、大部分の携帯電子機器の場合と同様に、電池動作時間が移動局130に対してクリティカルであるので重要である。したがって、開示されている実施形態により移動局側のエネルギー消費量を低減することで、いかなる機能性も失うことなく移動局130の動作時間が延長される。
【０１３７】
さらに一実施形態において、移動局130は、DTXモードで動作している少なくとも1つの他のネットワークノード120を監視することと関連付けられているパラメータの異なる集合で事前構成され得る。したがって、前記移動局130によって送信されるエネルギー節約情報は、事前構成されたパラメータのうちの少なくとも1つの好ましい、または受け入れられたパラメータを指示し得る。事前構成されたパラメータは、監視時間枠、監視周期、監視されるべき候補ネットワークノードの集合、測定ギャップ長、測定ギャップ長繰り返し時間などのうちの1つまたは複数を含み得る。したがって、モバイルノード130は、移動局130の現在のエネルギー状況に基づき、好ましい、または受け入れられた監視時間枠(すなわち、どのくらいの間監視すべきか)、および/または監視期間(すなわち、何回周期的に監視すべきか)、および/または監視すべき他のネットワークノード120の数、および/または測定ギャップ長、および/または測定ギャップ繰り返し時間を指示し得る。
【０１３８】
この実施形態の一利点は、移動局130がそのエネルギー状況に基づきサービスを提供する第1のネットワークノード110に好ましい構成を提案することを可能にすることである。この実施形態のさらなる利点は、移動局130がその現在のエネルギー状況に基づきDTXモードで動作しているネットワークノード120を監視するためにパラメータの(たとえば、最良の、好ましい、または少なくとも受入可能な)構成を自律的に決定することを可能にすることである。それによって、エネルギー節約はシグナリングオーバーヘッドを低減しつつ可能にされる。
【０１３９】
さらなる実施形態において、少なくとも1つのエネルギー節約情報は、移動局130と関連付けられているエネルギー状況を指示し得る。一例において、前記エネルギー状況は、最大2Nまでのエネルギー状況を符号化するN個のバイナリビットで指示され得る。エネルギー状況は、たとえば、移動局130の電池充電と関連付けられ得る。たとえば、N=2ビットは、3つのエネルギー状況、すなわち、高、中、低を指示するために使用されるものとしてよい。さらなる例において、エネルギー状況は、0、または代替的に1などの、ビットの1つの値が低エネルギー状況を指示するために使用され、第2の値、すなわち、1または代替的に0などのそれと反対の値が高エネルギー状況を指示するために使用され得る、単一のバイナリビットで指示され得る。この実施形態の一利点は、エネルギー節約情報のシグナリングが、最低のシグナリングオーバーヘッドで行われ得ることである。
【０１４０】
さらなる実施形態において、移動局130によって送信されるエネルギー節約情報は、デバイス間動作と関連付け得られ得る。移動局130は、たとえば、他の移動局の存在を発見すること、他の移動局によって送信された信号を監視すること、他の移動局によって送信された信号と同期させること、少なくとも1つの他の移動局に/少なくとも1つの他の移動局からデータもしくは制御情報を送信/受信することなどの、デバイス間動作と関連付けられている、事前構成されたパラメータの集合のうちの、パラメータの好ましい構成を報告し、および/または要求することができる。一例において、移動局130は、たとえば、移動局130の現在のエネルギー状況に基づき、デバイス間動作に参加する意志があり得ることを指示するエネルギー節約情報を送信し得る。たとえば、1つのビットセットが0などの値に設定されるか、または代替的に1に設定された場合、これはデバイス間の動作に参加する選好を指示するために使用され得る。ビットの反対の値、すなわち1、または代替的に0は、そのようなデバイス間動作に参加することを辞退することを指示し得る。さらなる例において、移動局130は、自己無効化されたデバイス間および/または中継動作の指示またはエネルギー節約によりデバイス間および/または中継動作を無効化する選好を送信し得る。
【０１４１】
それによって、移動局130は、現在の電池レベルに基づき、デバイス間動作に参加するかしないかを自律的に決定することを可能にされる。それによって、エネルギー電力が代わりにより優先度の高いおよび/または緊急度の高いアクションのために節約され得るときにデバイス間動作によって電池が浪費されることが回避される。
【０１４２】
さらなる実施形態において、第1のネットワークノード110は、前記移動局130と関連付けられているエネルギー節約情報に基づき、間欠受信(DRX)モード、間欠送信(DTX)モード、アイドルモードなどの、移動局130のスリーピングモードの構成を有効化し、および/または制御することができる。一例において、低エネルギー状況を指示する移動局130は、より長いDRXサイクルおよび/またはDTXサイクルで構成され得る。さらなる例において、移動局130によって少なくとも1つの第1のネットワークノード110に送信されるエネルギー節約情報は、DRXサイクルおよび/またはDTXサイクルに対するパラメータの好ましい、または受け入れられた構成を指示し得る。言い換えれば、移動局130は、そのエネルギー状況に基づき決定されたDRXサイクルおよび/またはDTXサイクルの構成を提案または報告し得る。同様に、LTEシステム100において、ネットワーク制御ノード110は、移動局130から受信されたエネルギー節約情報に基づき、移動局130との接続を解除して、アイドルモードをトリガーし得る。これは、たとえば、移動局130が低エネルギー状況、またはRRC接続を無効化する要求をネットワークにシグナリングするときに生じ得る。したがって、エネルギーは、移動局の情報に基づき適切なパラメータを構成することによって保存される。
【０１４３】
さらなる実施形態において、第1のネットワークノード110は、移動局130によって受信されたエネルギー節約情報に基づき移動局130に対するRRMおよび/またはRLM測定の構成を制御し得る。RRMおよび/またはRLM測定は、セル探索手順、少なくとも1つの他のネットワークノードの検出および/または監視(たとえば、ハンドオーバを目的とする)、他のモバイルノードの検出および/または発見および/または監視のうちの1つまたは複数の動作と関連付けられ得る。一例において、低エネルギー状況を指示する移動局130は、より長い測定ギャップ(たとえば、より長い測定ギャップ繰り返し時間および/またはより短い測定ギャップ長)および/またはより少ない測定報告で構成され得る。さらなる例において、移動局130によって少なくとも1つの第1のネットワークノード110に送信されるエネルギー節約情報は、RRM/RLM測定に対するパラメータの好ましい、または受け入れられた構成を指示し得る。言い換えれば、移動局130は、移動局130のエネルギー状況に基づき決定されたRRM/RLM測定と関連付けられている構成パラメータを提案または報告し得る。したがって、エネルギーは、移動局の情報に基づき適切なパラメータを構成することによって保存される。
【０１４４】
さらに別の実施形態において、第1のネットワーク制御ノード110は、前記移動局130から受信されたエネルギー節約情報に基づき少なくとも1つの移動局130に対するデバイス間動作および/または中継動作の構成を制御し得る。このことは、他の移動局の存在を発見すること、他の移動局によって送信された信号を監視すること、他の移動局によって送信された信号と同期させること、少なくとも1つの他の移動局に/少なくとも1つの他の移動局からデータもしくは制御情報を送信/受信することなどの、デバイス間動作および/または中継と関連付けられている移動局130の少なくとも1つの動作を制御することを意味する。第1のネットワークノード110は、どれだけ頻繁に、および/またはどれだけ長く、および/またはどの時間周波数リソースにおいて、移動局130が前記移動局130から受信されたエネルギー節約情報に基づき前述の動作のうちのどれを実行するかを決定し得る。たとえば、第1のネットワークノード110は、少なくとも前記移動局130から受信されたエネルギー節約情報に基づき少なくとも1つの移動局130に対するデバイス間動作と関連付けられている検出、発見、および/または測定のうちのいずれかの周期および持続時間を制御し得る。別の例において、第1のネットワークノード110は、移動局130から受信されたエネルギー節約情報に基づき限られた数の他の移動局を発見し、および/または監視し、および/または通信する(すなわち、信号を送信し、および/または信号を受信する)ように移動局130を構成し得る。さらなる例において、移動局130におけるデバイス間動作および/または中継動作は、前記移動局130から受信されたエネルギー節約情報に基づき第1のネットワークノード110によって無効化される。したがって、この実施形態の利点は、移動局130から受信されたエネルギー節約情報に基づきデバイス間動作または中継動作のために移動局130によって消費されるエネルギーを制御することを含む。
【０１４５】
図4は、移動局130において使用するための方法400の実施形態を示すフローチャートである。方法400は、移動局130におけるエネルギー節約を目指すものである。
【０１４６】
移動局130は、第1のネットワークノード110および場合によっては少なくとも1つの他のネットワークノード120を含むワイヤレス通信システム100において第1のネットワークノード110によるサービスを受けることができる。オプションの他のネットワークノード120は、いくつかの実施形態において、複数の他のネットワークノード120-0、120-1、120-2の集合を含み得る。他のネットワークノード120は、DRXモードで動作し得る。
【０１４７】
ワイヤレス通信ネットワーク100は、3GPP LTEに基づくものとしてよい。さらに、ワイヤレス通信システム100は、異なる実施形態では、FDDまたはTDDに基づくものとしてよい。第1のネットワークノード110および/または他のネットワークノード120は、いくつかの実施形態による発展型NodeB(eNodeB)を含み得る。
【０１４８】
移動局130においてエネルギーを節約するために、方法400は、多数のアクション401〜404を含み得る。しかしながら、説明されているアクション401〜404のうちの任意のもの、いくつか、またはすべてが、列挙で指示しているのといくぶん異なる時間順序で実行されるか、同時に実行されるか、または異なる実施形態による完全に反転された順序で実行されることすらあり得ることに留意されたい。また、たとえば、アクション401などのいくつかのアクションは、いくつかの代替的実施形態の範囲内でのみ実行され得る。さらに、いくつかのアクションは、異なる実施形態により複数の代替的方式で実行され得ること、およびいくつかのそのような代替的方式は、いくつかの、ただし必ずしもすべてではない、実施形態の範囲内でのみ実行され得ることに留意されたい。方法400は、次のアクションを含み得る。
【０１４９】
アクション401
このアクションは、方法400のいくつかの、ただし必ずしもすべてではない、実施形態の範囲内で実行され得る。
【０１５０】
移動局130のエネルギー節約情報に対する要求は、少なくとも1つのネットワークノード110から受信され得る。
【０１５１】
エネルギー節約情報は、いくつかの実施形態において、移動局130と関連付けられているエネルギー状況および/または移動局130の少なくとも1つの動作と関連付けられているエネルギー節約構成を含み得る。
【０１５２】
アクション402
移動局130のエネルギー状況を指示する、移動局130と関連付けられているエネルギー節約情報が生成される。
【０１５３】
移動局130のエネルギー状況は、いくつかの実施形態において、電池レベルの指示を含み得る。
【０１５４】
エネルギー節約情報は、前記移動局130の少なくとも1つの動作と関連付けられているエネルギー節約構成を含み得る。
【０１５５】
エネルギー節約情報は、いくつかの実施形態において、第1のネットワークノード110とは異なる、間欠送信モードで動作している少なくとも1つの他のネットワークノード120の監視と関連付けられ得る。
【０１５６】
さらに、エネルギー節約情報は、いくつかの実施形態において、前記移動局130の少なくとも1つの動作に対するエネルギー節約構成に対する要求またはトリガー、および/または移動局130がエネルギー節約モードに入っていることを示す通知を指示し得る。
【０１５７】
いくつかの実施形態において、エネルギー節約構成は、第1のネットワークノード110とは異なる、間欠送信モードで動作している少なくとも1つの他のネットワークノード120の監視と関連付けられているパラメータのエネルギー節約構成、特に間欠受信モード、間欠送信モード、無線リソース制御アイドルモード、および/またはスリーピングモードへの、移動局130のエネルギー節約モードの構成、移動局130に対する無線リソース管理測定および/または無線リンク監視測定の構成、特にセル探索、セル検出、ランダムアクセス、ネットワークノード110、120の監視、他の移動局を監視および/または発見すること、および/またはデバイス間の動作の構成への別の移動局の動作のエネルギー節約構成のうちの少なくとも1つを含み得る。
【０１５８】
アクション403
エネルギー節約情報は、少なくとも1つの第1のネットワークノード110に送信される。
【０１５９】
アクション404
エネルギー節約のための命令は、エネルギー節約情報に基づき少なくとも1つの第1のネットワークノード110から受信される。
【０１６０】
エネルギー節約のための受信された命令は、第1のネットワークノード110とは異なる、間欠送信モードで動作している少なくとも1つの他のネットワークノード120の監視と関連付けられているパラメータのエネルギー節約構成、特に間欠受信モード、間欠送信モード、無線リソース制御アイドルモード、および/またはスリーピングモードへの、移動局130のエネルギー節約モードの構成、移動局130に対する無線リソース管理測定および/または無線リンク監視測定の構成、および異なる実施形態における特にセル探索、セル検出、ランダムアクセス、ネットワークノード110、120の監視、他の移動局を監視および/または発見すること、および/またはデバイス間の動作の構成への別の移動局の動作のエネルギー節約構成のうちの少なくとも1つを含み得る。
【０１６１】
図5は、ワイヤレス通信システム100内のワイヤレス通信用に構成されている、移動局130の一実施形態を例示している。移動局130は、エネルギーを節約するために前に説明されているアクション401〜404のうちの少なくともいくつかに従って方法400を実行するようにさらに構成される。
【０１６２】
移動局130は、第1のネットワークノード110および場合によっては少なくとも1つの他のネットワークノード120を含むワイヤレス通信システム100において第1のネットワークノード110によるサービスを受けることができる。オプションの他のネットワークノード120は、いくつかの実施形態において、複数の他のネットワークノード120-0、120-1、120-2の集合を含み得る。他のネットワークノード120は、DRXモードで動作し得る。
【０１６３】
ワイヤレス通信ネットワーク100は、3GPP LTEに基づくものとしてよい。さらに、ワイヤレス通信システム100は、異なる実施形態では、FDDまたはTDDに基づくものとしてよい。第1のネットワークノード110および/または他のネットワークノード120は、いくつかの実施形態による発展型NodeB(eNodeB)を含み得る。
【０１６４】
わかりやすくするために、本明細書で説明されている実施形態を理解するうえで完全に不可欠であるとは限らない、移動局130の任意の内部電子機器または他のコンポーネントは、図5から省かれている。
【０１６５】
移動局130は、前記移動局130のエネルギー状況を指示する、前記移動局130と関連付けられているエネルギー節約情報を生成するように構成されている、プロセッサ520を備える。
【０１６６】
そのようなプロセッサ520は、処理回路の1つまたは複数のインスタンス、すなわち、中央演算処理装置(CPU)、処理ユニット、処理回路、プロセッサ、特定用途向け集積回路(ASIC)、マイクロプロセッサ、または命令を解釈し、実行することができる他の処理ロジックを含み得る。したがって、本明細書で使用されている「プロセッサ」という表現は、たとえば、上に列挙されているもののうちのどれか、いくつか、またはすべてなどの、複数の処理回路を含む処理回路を表し得る。
【０１６７】
さらに、移動局130は、エネルギー節約情報を少なくとも1つの第1のネットワークノード110に送信するように構成されている、送信機510を備える。
【０１６８】
それに加えて、移動局130は、エネルギー節約情報に基づき、エネルギー節約のための命令を少なくとも1つの第1のネットワークノード110から受信するように構成されている、受信機530を備える。したがって、受信機は、いくつかの実施形態によりワイヤレスインターフェースを介して様々なネットワークノード110、120および/または移動局から信号を受信するように構成されている。
【０１６９】
受信機530は、いくつかの実施形態において、移動局130のエネルギー節約情報に対する要求を少なくとも1つの第1のネットワークノード110から受信するようにさらに構成され得る。
【０１７０】
エネルギー節約情報は、いくつかの実施形態において、移動局130の少なくとも1つの動作と関連付けられているエネルギー節約構成をさらに含み得る。
【０１７１】
さらに、前記移動局130のエネルギー状況は、移動局130の電池レベルの指示を含み得る。
【０１７２】
いくつかの実施形態において、エネルギー節約構成は、第1のネットワークノード110とは異なる、間欠送信モードで動作している少なくとも1つの他のネットワークノード120の監視と関連付けられているパラメータのエネルギー節約構成、特に間欠受信モード、間欠送信モード、無線リソース制御アイドルモード、および/またはスリーピングモードへの、移動局130のエネルギー節約モードの構成、移動局130に対する無線リソース管理測定および/または無線リンク監視測定の構成、特にセル探索、セル検出、ランダムアクセス、ネットワークノード110、120の監視、他の移動局を監視および/または発見すること、および/またはデバイス間の動作の構成への別の移動局の動作のエネルギー節約構成のうちの少なくとも1つを含み得る。
【０１７３】
エネルギー節約情報は、いくつかの実施形態において、第1のネットワークノード110とは異なる、間欠送信モードで動作している少なくとも1つの他のネットワークノード120の監視と関連付けられ得る。
【０１７４】
さらに、エネルギー節約情報は、移動局130の少なくとも1つの動作に対するエネルギー節約構成に対する要求またはトリガー、および/または移動局130がエネルギー節約モードに入っていることを示す通知を指示し得る。
【０１７５】
エネルギー節約のための受信された命令は、第1のネットワークノード110とは異なる、間欠送信モードで動作している少なくとも1つの他のネットワークノード120の監視と関連付けられているパラメータのエネルギー節約構成、特に間欠受信モード、間欠送信モード、無線リソース制御アイドルモード、および/またはスリーピングモードへの、移動局130のエネルギー節約モードの構成、移動局130に対する無線リソース管理測定および/または無線リンク監視測定の構成、および異なる実施形態における特にセル探索、セル検出、ランダムアクセス、ネットワークノード110、120の監視、他の移動局を監視および/または発見すること、および/またはデバイス間の動作の構成への別の移動局の動作のエネルギー節約構成のうちの少なくとも1つを含み得る。
【０１７６】
さらに、移動局130は、いくつかの実施形態により、少なくとも1つのメモリ525をさらに備え得る。オプションのメモリ525は、データまたはプログラム、すなわち、命令シーケンスを、一時的にまたは永久的に記憶するために利用される物理的デバイスを備え得る。いくつかの実施形態によれば、メモリ525は、シリコンベースのトランジスタを備える集積回路を含み得る。さらに、メモリ525は、揮発性または不揮発性とすることができる。
【０１７７】
移動局130で実行されるべき上で説明されているアクション401〜404は、アクション401〜404の機能のうちの少なくともいくつかを実行するためのコンピュータプログラム製品とともに、移動局130内の1つまたは複数のプロセッサ520を通じて実装され得る。したがって、プログラムコードを含むコンピュータプログラムは、コンピュータプログラムが移動局130のプロセッサ520内にロードされたときに、移動局130においてエネルギーを節約するためにアクション401〜404の機能の任意のもの、少なくともいくつか、またはすべてに従って方法400を実行し得る。
【０１７８】
さらに、コンピュータプログラム製品は、移動局130でエネルギーを節約するために、移動局130によって使用されるプログラムコードが記憶されているコンピュータ可読記憶媒体を含むものとしてよく、ここにおいて、方法400を実行するための命令を含むプログラムコードは前記移動局130のエネルギー状況を指示する、前記移動局130と関連付けられているエネルギー節約情報を生成すること402と、エネルギー節約情報を少なくとも1つの第1のネットワークノード110に送信すること403と、エネルギー節約情報に基づき、前記少なくとも1つの第1のネットワークノード110からエネルギー節約のための命令を受信すること404とを含む。
【０１７９】
上述のコンピュータプログラム製品は、たとえば、プロセッサ520にロードされるときにいくつかの実施形態によりアクション401〜404のうちの少なくともいくつかを実行するためのコンピュータプログラムコードを運ぶデータキャリアの形態で提供され得る。データキャリアは、たとえば、ハードディスク、CD ROMディスク、メモリスティック、光記憶装置デバイス、磁気記憶装置デバイス、または非一時的な方式で機械可読データを保持することができるディスクもしくはテープなどの任意の他の適切な媒体であってよい。さらに、コンピュータプログラム製品は、サーバ上のコンピュータプログラムコードとして提供され、移動局130に、たとえば、インターネットまたはイントラネット接続を介してリモートからダウンロードされ得る。
【０１８０】
図6は、移動局130でエネルギー節約を可能にするために第1のネットワークノード110において使用するための方法600の実施形態を示すフローチャートである。
【０１８１】
移動局130においてエネルギー節約を適切に可能にするために、方法600は、多数のアクション601〜604を含み得る。
【０１８２】
しかしながら、説明されているアクション601〜604のうちの任意のもの、いくつか、またはすべてが、列挙で指示しているのといくぶん異なる時間順序で実行されるか、同時に実行されるか、または異なる実施形態による完全に反転された順序で実行されることすらあり得ることに留意されたい。また、たとえば、アクション601などのいくつかのアクションは、いくつかの代替的実施形態の範囲内でのみ実行され得る。さらに、いくつかのアクションは、異なる実施形態により複数の代替的方式で実行され得ること、およびいくつかのそのような代替的方式は、いくつかの、ただし必ずしもすべてではない、実施形態の範囲内でのみ実行され得ることに留意されたい。方法600は、次のアクションを含み得る。
【０１８３】
アクション601
このアクションは、いくつかの、ただし必ずしもすべてではない、可能な実施形態の範囲内で実行され得る。
【０１８４】
移動局130のエネルギー節約情報に対する要求は、移動局130に送信される。
【０１８５】
アクション602
前記移動局130のエネルギー状況を指示する、エネルギー節約情報が移動局130から受信される。
【０１８６】
エネルギー節約情報は、前記移動局130の少なくとも1つの動作と関連付けられているエネルギー節約構成を含み得る。
【０１８７】
いくつかの実施形態において、エネルギー節約構成は、第1のネットワークノード110とは異なる、間欠送信モードで動作している少なくとも1つの他のネットワークノード120の監視と関連付けられているパラメータのエネルギー節約構成、特に間欠受信モード、間欠送信モード、無線リソース制御アイドルモード、および/またはスリーピングモードへの、移動局130のエネルギー節約モードの構成、移動局130に対する無線リソース管理測定および/または無線リンク監視測定の構成、特にセル探索、セル検出、ランダムアクセス、ネットワークノード110、120の監視、他の移動局を監視および/または発見すること、および/またはデバイス間の動作の構成への別の移動局の動作のエネルギー節約構成のうちの少なくとも1つを含み得る。
【０１８８】
移動局130のエネルギー状況は、移動局130の電池レベルの指示を含み得る。
【０１８９】
エネルギー節約情報は、第1のネットワークノード110とは異なる、間欠送信モードで動作している少なくとも1つの他のネットワークノード120の監視と関連付けられ得る。
【０１９０】
さらに、エネルギー節約情報は、いくつかの実施形態において、前記移動局130の少なくとも1つの動作に対するエネルギー節約構成に対する要求またはトリガー、および/または移動局130がエネルギー節約モードに入っていることを示す通知を指示し得る。
【０１９１】
アクション603
移動局130におけるエネルギー節約のための命令は、受信された602エネルギー節約情報に基づき生成される。
【０１９２】
アクション604
移動局130へのエネルギー節約のための生成された603命令は、移動局130に送信される。
【０１９３】
エネルギー節約のための送信された命令は、第1のネットワークノード110とは異なる、間欠送信モードで動作している少なくとも1つの他のネットワークノード120の監視と関連付けられているパラメータのエネルギー節約構成、特に間欠受信モード、間欠送信モード、無線リソース制御アイドルモード、および/またはスリーピングモードへの、移動局130のエネルギー節約モードの構成、移動局130に対する無線リソース管理測定および/または無線リンク監視測定の構成、および異なる実施形態における特にセル探索、セル検出、ランダムアクセス、ネットワークノード110、120の監視、他の移動局を監視および/または発見すること、および/またはデバイス間の動作の構成への別の移動局の動作のエネルギー節約構成のうちの少なくとも1つを含み得る。
【０１９４】
送信される信号は、異なる実施形態において移動局特有、または移動局グループ特有のものであってよい。
【０１９５】
さらに、信号は、いくつかの実施形態においてPDCCHおよび/またはEPDCCHなどの、物理ダウンリンク制御チャネルの一部として送信され得る。また、いくつかの実施形態において、信号は、たとえばPDSCH、または上位レイヤのRRCシグナリングなどの、物理ダウンリンク共有チャネルを使用することによって送信され得る。
【０１９６】
図7は、第1のネットワークノード110の一実施形態を例示している。第1のネットワークノード110は、移動局130のエネルギー節約を可能にするために前に説明されているアクション601〜604のうちの少なくともいくつかに従って方法600を実行するように構成される。
【０１９７】
わかりやすくするために、本明細書で説明されている実施形態を理解するうえで完全に不可欠であるとは限らない、第1のネットワークノード110の内部電子機器または他のコンポーネントは、図7から省かれている。
【０１９８】
第1のネットワークノード110は、前記移動局130のエネルギー状況を指示する、移動局130からエネルギー節約情報を受信するように構成されている、受信機710を備える。
【０１９９】
受信機710は、ワイヤレスインターフェースを介して無線信号を受信するように構成され得る。信号は、いくつかの実施形態により、たとえば、移動局130、他の移動局、他のネットワークノード120、またはワイヤレス通信システム100内で通信を行うように構成されている任意の他のエンティティから受信され得る。
【０２００】
それに加えて、第1のネットワークノード110は、受信されたエネルギー節約情報に基づき、移動局130におけるエネルギー節約のための命令を生成するように構成されている、プロセッサ720も備える。
【０２０１】
エネルギー節約情報は、前記移動局130の少なくとも1つの動作と関連付けられているエネルギー節約構成を含み得る。
【０２０２】
いくつかの実施形態において、エネルギー節約構成は、第1のネットワークノード110とは異なる、間欠送信モードで動作している少なくとも1つの他のネットワークノード120の監視と関連付けられているパラメータのエネルギー節約構成、特に間欠受信モード、間欠送信モード、無線リソース制御アイドルモード、および/またはスリーピングモードへの、移動局130のエネルギー節約モードの構成、移動局130に対する無線リソース管理測定および/または無線リンク監視測定の構成、特にセル探索、セル検出、ランダムアクセス、ネットワークノード110、120の監視、他の移動局を監視および/または発見すること、および/またはデバイス間の動作の構成への別の移動局の動作のエネルギー節約構成のうちの少なくとも1つを含み得る。
【０２０３】
移動局130のエネルギー状況は、移動局130の電池レベルの指示を含み得る。
【０２０４】
エネルギー節約情報は、第1のネットワークノード110とは異なる、間欠送信モードで動作している少なくとも1つの他のネットワークノード120の監視と関連付けられ得る。
【０２０５】
さらに、エネルギー節約情報は、いくつかの実施形態において、前記移動局130の少なくとも1つの動作に対するエネルギー節約構成に対する要求またはトリガー、および/または移動局130がエネルギー節約モードに入っていることを示す通知を指示し得る。
【０２０６】
そのようなプロセッサ720は、処理回路の1つまたは複数のインスタンス、すなわち、中央演算処理装置(CPU)、処理ユニット、処理回路、プロセッサ、特定用途向け集積回路(ASIC)、マイクロプロセッサ、または命令を解釈し、実行することができる他の処理ロジックを含み得る。したがって、本明細書で使用されている「プロセッサ」という表現は、たとえば、上に列挙されているもののうちのどれか、いくつか、またはすべてなどの、複数の処理回路を含む処理回路を表し得る。
【０２０７】
さらに、第1のネットワークノード110は、たとえばエネルギー節約のための生成された命令を含むワイヤレス信号を移動局130に送信するように構成されている、送信機730も備える。送信機730は、移動局130のエネルギー節約情報に対する要求を移動局130に送信するようにさらに構成され得る。
【０２０８】
エネルギー節約のための送信された命令は、第1のネットワークノード110とは異なる、間欠送信モードで動作している少なくとも1つの他のネットワークノード120の監視と関連付けられているパラメータのエネルギー節約構成、特に間欠受信モード、間欠送信モード、無線リソース制御アイドルモード、および/またはスリーピングモードへの、移動局130のエネルギー節約モードの構成、移動局130に対する無線リソース管理測定および/または無線リンク監視測定の構成、および異なる実施形態における特にセル探索、セル検出、ランダムアクセス、ネットワークノード110、120の監視、他の移動局を監視および/または発見すること、および/またはデバイス間の動作の構成への別の移動局の動作のエネルギー節約構成のうちの少なくとも1つを含み得る。
【０２０９】
送信される信号は、異なる実施形態において移動局特有、または移動局グループ特有のものであってよい。
【０２１０】
さらに、信号は、いくつかの実施形態においてPDCCHおよび/またはEPDCCHなどの、物理ダウンリンク制御チャネルの一部として送信され得る。また、いくつかの実施形態において、信号は、たとえばPDSCH、または上位レイヤのRRCシグナリングなどの、物理ダウンリンク共有チャネルを使用することによって送信され得る。
【０２１１】
さらに、第1のネットワークノード110は、いくつかの実施形態により、少なくとも1つのメモリ725をさらに備え得る。オプションのメモリ725は、データまたはプログラム、すなわち、命令シーケンスを、一時的にまたは永久的に記憶するために利用される物理的デバイスを備え得る。いくつかの実施形態によれば、メモリ725は、シリコンベースのトランジスタを備える集積回路を含み得る。さらに、メモリ725は、揮発性または不揮発性とすることができる。
【０２１２】
上で説明されている、第1のネットワークノード110内で実行されるアクション601〜604は、アクション601〜604の機能のうちの少なくともいくつかを実行するためのコンピュータプログラム製品とともに、第1のネットワークノード110内の1つまたは複数のプロセッサ720を通じて実装され得る。したがって、第1のネットワークノード110においてアクション601〜604を実行するための命令を含む、コンピュータプログラム製品は、コンピュータプログラムが第1のネットワークノード110のプロセッサ720内にロードされたときに、移動局130においてエネルギー節約を可能にするための、方法アクション601〜604のうちの少なくともいくつかを含む方法600を実行し得る。
【０２１３】
したがって、コンピュータプログラム製品は移動局130でエネルギー節約を可能にするために、第1のネットワークノード110によって使用されるプログラムコードが記憶されているコンピュータ可読記憶媒体を含み、ここにおいて、方法600を実行するための命令を含むプログラムコードは移動局130から、前記移動局130のエネルギー状況を指示する、エネルギー節約情報を受信すること602と、受信された602エネルギー節約情報に基づき、移動局130におけるエネルギー節約のための命令を生成すること603と、エネルギー節約のための生成された603命令を移動局130に送信すること604とを含む。
【０２１４】
上述のコンピュータプログラム製品は、たとえば、第1のネットワークノード110のプロセッサ720にロードされるときにいくつかの実施形態によりアクション601〜604のうちの少なくともいくつかを実行するためのコンピュータプログラムコードを運ぶデータキャリアの形態で提供され得る。データキャリアは、たとえば、ハードディスク、CD ROMディスク、メモリスティック、光記憶装置デバイス、磁気記憶装置デバイス、または非一時的な方式で機械可読データを保持することができるディスクもしくはテープなどの任意の他の適切な媒体であってよい。コンピュータプログラム製品は、サーバ上のコンピュータプログラムコードとしてさらに提供され、第1のネットワークノード110に、たとえば、インターネットまたはイントラネット接続を介してリモートからダウンロードされ得る。
【０２１５】
添付図面に示されているような実施形態の説明で使用されている用語は、説明されている方法400、600、第1のネットワーク110、および/または移動局130を制限することを意図していない。付属の請求項で定義されているような本発明から逸脱することなく、様々な変更、置換、および/または改変が行われ得る。
【０２１６】
本明細書で使用されているように、「および/または」は、関連する列挙されている項目のうちの1つまたは複数の項目のありとあらゆる組合せを含む。それに加えて、単数形を示す「1つ(「a」、「an」)」および「その(「the」)」は、「少なくとも1つ」として解釈されるべきであり、したがって、断りのない限り、場合によっては、同じ種類の複数のエンティティを含む。さらに、「含む」、「備える」、「含むこと」、および/または「備えること」という言い回しは、記載されている特徴、アクション、整数、ステップ、操作、要素、および/または構成要素の存在を指定し、1つまたは複数の他の特徴、アクション、整数、ステップ、操作、要素、構成要素、および/またはそれらからなる群の存在もしくは追加を除外しないこともさらに理解されるであろう。たとえば、プロセッサなどの単一のユニットが、請求項に記載されているいくつかの項目の機能を遂行することができる。特定の測定が、相互に異なる従属請求項において引用されているという単なる事実は、これらの測定の組合せが有利に使用され得ないことを示すものではない。コンピュータプログラムは、光記憶媒体または他のハードウェアとともに、もしくは一部として供給される半導体媒体などの、好適な媒体に記憶/配布され得るが、インターネットまたは他の有線もしくはワイヤレス通信システムなどを介する他の形態で配布されることもあり得る。
【符号の説明】
【０２１７】
100  ワイヤレス通信ネットワーク
110  第1のネットワークノード
120-0、120-1、120-2  ネットワークノード
130  移動局
400  方法
510  送信機
520  プロセッサ
525  メモリ
530  受信機
600  方法
710  受信機
720  プロセッサ
725  メモリ
730  送信機
【図１】
0006490185.tif 000002
【図２】
0006490185.tif 000003
【図３】
0006490185.tif 000004
【図４】
0006490185.tif 000005
【図５】
0006490185.tif 000006
【図６】
0006490185.tif 000007
【図７】
0006490185.tif 000008